(57)【要約】【課題】鋼矢板などの金属面に溶接により容易且つ強力に取り付けることが出来るセパレーター取付け金具を提供する。【解決手段】棒状本体２の外端部に、セパレーターＳの螺軸部Ｓａを当該棒状本体２の長さ方向に連結するセパレーター連結部３が設けられ、前記棒状本体２の内端部には、この棒状本体２を他の金属面Ｍに溶接するための溶接用取付け部４が設けられたセパレーター取付け金具１において、前記棒状本体２の内端部には、当該棒状本体２を構成する２枚の並列する帯状金属板２ａ，２ｂの遊端部を当該帯状金属板２ａ，２ｂの巾方向に沿って外側に半円形に突曲させて成る半円形軸部１２ａ，１２ｂが形成され、これら両帯状金属板２ａ，２ｂの半円形軸部１２ａ，１２ｂが互いに重ねられて前記棒状本体２の長さ方向に対し直角向きに構成された円柱状軸部１３によって前記溶接用取付け４が構成されている。【選択図】図１
2014218837.tif 000002
【特許請求の範囲】
【請求項１】
棒状本体の外端部に、セパレーターの螺軸部を当該棒状本体の長さ方向に連結するセパレーター連結部が設けられ、前記棒状本体の内端部には、この棒状本体を他の金属面に溶接するための溶接用取付け部が設けられたセパレーター取付け金具において、前記棒状本体の内端部には、当該棒状本体を構成する２枚の並列する両帯状金属板の遊端部を当該帯状金属板の巾方向に沿って外側に半円形に突曲させて成る半円形軸部が形成され、これら両帯状金属板の半円形軸部が互いに重ねられて前記棒状本体の長さ方向に対し直角向きに構成された円柱状軸部によって前記溶接用取付け部が構成されている、セパレーター取付け金具。
【請求項２】
両帯状金属板の前記半円形軸部は、当該帯状金属板の折返しで形成された二重板部のプレス加工により中実構造に構成されている、請求項１に記載のセパレーター取付け金具。
【請求項３】
中実構造の前記半円形軸部は、帯状金属板の内側への折返しで形成された二重板部のプレス加工により構成され、帯状金属板の内側への折返し端部が、両帯状金属板の半円形軸部が互いに重ねられて構成された円柱状軸部の内部に包み込まれている、請求項２に記載のセパレーター取付け金具。
【請求項４】
前記棒状本体は、セパレーター連結部を備えた当該棒状本体の外端部において繋がるように１枚の長尺の帯状金属板の折返しによって構成されると共に、前記溶接用取付け部に隣接する一定長さ領域において並列する前記帯状金属板が互いに結合されて成る二枚重ね板状部を備え、互いに重なる両帯状金属板の半円形軸部どうしは互いに溶接されていない、請求項１〜３の何れか１項に記載のセパレーター取付け金具。
【発明の詳細な説明】
【技術分野】
【０００１】
本発明は、土止め壁を築造するときのコンクリート型枠を鋼矢板に支持させる場合などに使用されるセパレーター取付け金具に関するものである。
【背景技術】
【０００２】
この種のセパレーター取付け金具は、棒状本体の外端にセパレーター連結部を設け、当該棒状本体の内端に鋼矢板への取付け手段が設けられたものであり、前記取付け手段としては、特許文献１に記載されるように、鋼矢板側に前以て溶接などにより取り付けられたナットにねじ込み可能な螺軸や、直接鋼矢板表面にスタッド溶接出来るスタッド溶接用ボルト、或いは鋼矢板の側辺に嵌合させるコ字形嵌合部材などで構成されたものが知られている。
【先行技術文献】
【特許文献】
【０００３】
【特許文献１】特開２００４−１９０４５９号公報
【発明の概要】
【発明が解決しようとする課題】
【０００４】
上記のように従来のこの種のセパレーター取付け金具は、鋼矢板への取付け手段が何れも棒状本体とは別の部材から構成され、この別部材の取付け手段を棒状本体の内端に取り付ける必要があり、コスト高になっていた。勿論、棒状本体を溶接可能な金属材から構成すれば、この棒状本体の内端を直接鋼矢板表面に溶接することも可能になるが、溶接に耐え得ると共に棒状本体の内端の両側に隅肉溶接用の開先部を形成しようとすれば、相当に肉厚な金属材を使用しなければならず、大幅なコストダウンを図ることが出来ない。又、棒状本体を鋼矢板の表面に対して直角向きではなく任意の角度だけ傾斜させた状態で、必要な溶接強度が得られるように溶接することも難しい。
【課題を解決するための手段】
【０００５】
本発明は、上記のような従来の問題点を解消することのできるセパレーター取付け金具を提案するものであって、本発明に係るセパレーター取付け金具は、後述する実施例との関係を理解し易くするために、当該実施例の説明において使用した参照符号を括弧付きで付して示すと、棒状本体(2)の外端部に、セパレーター(S)の螺軸部(Sa)を当該棒状本体(2)の長さ方向に連結するセパレーター連結部(3)が設けられ、前記棒状本体(2)の内端部には、この棒状本体(2)を他の金属面(M)に溶接するための溶接用取付け部(4)が設けられたセパレーター取付け金具(1)において、前記棒状本体(2)の内端部には、当該棒状本体(2)を構成する２枚の並列する帯状金属板(2a,2b)の遊端部を当該帯状金属板(2a,2b)の巾方向に沿って外側に半円形に突曲させて成る半円形軸部(12a,12b)が形成され、これら両帯状金属板(2a,2b)の半円形軸部(12a,12b)が互いに重ねられて前記棒状本体(2)の長さ方向に対し直角向きに構成された円柱状軸部(13)によって前記溶接用取付け部(4)が構成されている。
【発明の効果】
【０００６】
上記本発明の構成によれば、棒状本体の内端に円柱状軸部から成る溶接用取付け部が設けられているので、鋼矢板などの取付け対象物の金属面にこの棒状本体を取り付ける場合、溶接用取付け部、即ち、前記円柱状軸部を当該金属面に線接触状態に当て付けることにより、当該円柱状軸部の両側に隅肉用開先部が形成されるので、この円柱状軸部の両側の隅肉用開先部を利用して金属面に棒状本体の内端を強固且つ容易に隅肉溶接することが出来る。
【０００７】
しかも溶接用取付け部が円柱状軸部によって構成されているので、金属面に対して棒状本体を、前記円柱状軸部の軸心の周りに任意の角度に傾けても、棒状本体の内端両側に形成される隅肉用開先部の断面形状やサイズが変わらないので、棒状本体を任意に傾けた状態で強固且つ容易に溶接することが出来る。更に本発明の構成によれば、棒状本体の内端に別部材の円柱状金属棒を溶接して前記円柱状軸部から成る溶接用取付け部を構成するのではなく、棒状本体を構成する並列金属板部の端部の加工により、棒状本体と一体に円柱状軸部から成る溶接用取付け部を構成するのであるから、安価に実施することが出来る。
【０００８】
尚、棒状本体を構成する帯状金属板部の板厚が適度にあれば、各帯状金属板部の内端に形成される半円形軸部を互いに重ねて構成する円柱状軸部が中空状であっても良いが、両帯状金属板(2a,2b)の前記半円形軸部(12a,12b)は、当該帯状金属板(2a,2b)の折返しで形成された二重板部のプレス加工により中実構造に構成することが出来る。この構成によれば、中空状の円柱状軸部である場合と比較して、使用する帯状金属板の板厚を薄くしても、棒状本体に長さ方向の引張力又は圧縮力が作用したときに円柱状軸部が内側又は外側に潰れるように変形する恐れが無くなり、強度の高いセパレーター取付け金具を軽量且つ安価に製造することが出来る。この場合、中実構造の前記半円形軸部(12a,12b)は、帯状金属板(2a,2b)の外側への折返しとプレス加工により構成することも出来るが、帯状金属板(2a,2b)の内側への折返しで形成された二重板部(2d)のプレス加工により構成し、帯状金属板(2a,2b)の内側への折返し端部が、両帯状金属板(2a,2b)の半円形軸部(12a,12b)が互いに重ねられて構成された円柱状軸部(13)の内部に包み込まれるように構成することが出来る。この構成によれば、引張力又は圧縮力に対する強度をより一層高めることが出来る。
【０００９】
又、前記棒状本体(2)は、セパレーター連結部(3)を備えた当該棒状本体(2)の外端部において繋がるように１枚の長尺の帯状金属板の折返しによって構成すると共に、前記溶接用取付け部(4)に隣接する一定長さ領域において並列する前記帯状金属板(2a,2b)がカシメ(10)や別部品のリベットなどにより互いに結合されて成る二枚重ね板状部(11)を設け、互いに重なる両帯状金属板(2a,2b)の半円形軸部(12a,12b)どうしは互いに溶接しないで構成することが出来る。この構成によれば、溶接用取付け部を含む棒状本体の全体を溶接無しで安価に構成することが出来る。
【図面の簡単な説明】
【００１０】
【図１】図１Ａは、本発明一実施例のセパレーター取付け金具の平面図、図１Ｂは、同セパレーター取付け金具の使用状態を示す平面図である。
【図２】図２は、同上セパレーター取付け金具の側面図である。
【図３】図３は、同上セパレーター取付け金具の正面図である。
【図４】図４は、図１ＡのＸ−Ｘ線断面図である。
【図５】図５は、図２のＹ−Ｙ線断面図である。
【図６】図６Ａ〜図６Ｃは、帯状金属板端部の加工手順を説明する要部の平面図である。
【発明を実施するための形態】
【００１１】
以下、本発明の好適実施例を図１〜図５に基づいて説明すると、本発明実施例に係るセパレーター取付け金具１は、棒状本体２の外端部に、セパレーターＳの螺軸部Ｓａを当該棒状本体２の長さ方向に連結するセパレーター連結部３が設けられ、前記棒状本体２の内端部には、この棒状本体２を他の金属面Ｍに溶接するための溶接用取付け部４が設けられたものである。
【００１２】
前記棒状本体２は、１枚の長尺帯状金属板を折り返して構成したものであり、その外端部と成るＵターン部５の内側にナット６を挟み込むと共に、このナット６に対する上下一対の回り止め成形部７と左右一対の位置決め用突起部８を一体成形し、前記Ｕターン部５にナット６のネジ孔６ａと同心状の貫通孔９を穿設して、前記セパレーター連結部３を構成している。
【００１３】
前記棒状本体２の並列する帯状金属板２ａ，２ｂは、内端部の溶接用取付け部４に隣接する一定長さ領域において互いに重ね合わせられ、この互いに重ね合わせられた帯状金属板２ａ，２ｂどうしを、一方の帯状金属板２ｂからプレス加工により突出させた中空突起部を他方の帯状金属板２ａに設けられた座繰り貫通孔内に嵌合させた状態で当該中空突起部を座繰り貫通孔側から押し潰して先端部を拡径させるカシメ１０により一体に結合して、二枚重ね板状部１１が構成されている。この二枚重ね板状部１１の各帯状金属板２ａ，２ｂの遊端部は、それぞれ内側に折り返して重ねわせると共に断面が外側に突曲する中実状の半円形になるようにプレス加工して半円形軸部１２ａ，１２ｂに構成され、これら両半円形軸部１２ａ，１２ｂを互いに重ね合わせて、前記棒状本体２の長さ方向に対し直角向きで中実構造の円柱状軸部１３が形成され、この中実構造の円柱状軸部１３によって前記溶接用取付け部４が構成されている。
【００１４】
尚、棒状本体２の二枚重ね板状部１１の基部（溶接用取付け部４のある側とは反対側）の屈曲部には、補強用のリブ１４が形成され、セパレーター連結部３には、ナット６のネジ孔６ａに螺合させたセパレーターＳの弛み止め手段１５が併設されている。このセパレーターＳの弛み止め手段１５は、特許文献１にも記載された従来周知のものであって、片側の帯状金属板２ａに溶接を使わずに係止された取付け板部１６から、棒状本体２のＵターン部５の外側に斜めに被さるように連設され且つ長さ方向に沿った両側辺に補強用側板部１７ａが折曲形成された傾斜板部１７が連設され、この傾斜板部１７にセパレーター挿通孔１８と、このセパレーター挿通孔１８の両側辺から内側へ折曲連設され且つ先端にセパレーター螺軸部Ｓａに係合する係合爪部１９ａ，１９ｂを備えた一対の係合舌片２０ａ，２０ｂが設けられたものである。
【００１５】
以上のように構成されたセパレーター取付け金具１は、図１Ｂに示すように、溶接用取付け部４を構成している円柱状軸部１３を鋼矢板表面などの金属面Ｍ上に当接させ、当該円柱状軸部１３の軸心の周りで棒状本体２を揺動させて、金属面Ｍに対する棒状本体２の起立角度を定めた状態で、当該円柱状軸部１３の両側でこの円柱状軸部１３の周面と金属面Ｍとの間に形成されている溶接用開先部に対して隅肉溶接２１ａ，２１ｂを施工する。このようにして金属面Ｍ上に固着したセパレーター取付け金具１のセパレーター連結部３に対してセパレーターＳを連結するのであるが、セパレーターＳの螺軸部Ｓａを、弛み止め手段１５における傾斜板部１７のセパレーター挿通孔１８から棒状本体２の貫通孔９を経由してナット６のネジ孔６ａに捩じ込むときは、弛み止め手段１５における一対の係合舌片２０ａ，２０ｂの係合爪部１９ａ，１９ｂは、セパレーター螺軸部Ｓａに対して殆ど干渉しない。
【００１６】
セパレーターＳをセパレーター取付け金具１に取り付け終わったならば、弛み止め手段１５における傾斜板部１７の遊端側をハンマーなどで打ち叩いて当該傾斜板部１７を棒状本体２の方に倒伏させるように変形させると、一対の係合舌片２０ａ，２０ｂの係合爪部１９ａ，１９ｂが棒状本体２のＵターン部５の表面に圧接しながら貫通孔９の中心に向かって移動することになるので、当該一対の係合爪部１９ａ，１９ｂがセパレーター螺軸部Ｓａのネジ溝に食い込み、当該セパレーター螺軸部Ｓａの弛み止めとなる。尚、セパレーターＳには、反対側の螺軸部などを利用して、前記金属面Ｍとの間にコンクリート打設空間を形成するための型枠が支持される。
【００１７】
尚、セパレーター連結部３の具体構造は、上記実施例の構造に限定されるものではない。勿論、セパレーターＳの弛み止め手段１５も本発明に必須のものではないが、上記実施例の構成によれば、セパレーター連結部３、溶接用取付け部４、及びセパレーターＳの弛み止め手段１５を含むセパレーター取付け金具１の全体が溶接を使用せずに組み立てられる。
【００１８】
上記セパレーター取付け金具１の実際の製作手順では、１枚の長尺帯状金属板の両端に半円形軸部１２ａ，１２ｂをそれぞれ形成し、Ｕターン部５となる長さ方向の中央部に回り止め成形部７と位置決め用突起部８を成形すると共に貫通孔９を穿設した後に、ナット６を挟み込むように折り返して、当該ナット６を内側に固定されたＵターン部５を形成し、最後にカシメ１０により並列する２枚の帯状金属板２ａ，２ｂを一体に結合して、二枚重ね板状部１１と中実構造の円柱状軸部１３から成る溶接用取付け部４とを構成することになるが、帯状金属板２ａ，２ｂの先端に半円形軸部１２ａ，１２ｂを形成する場合、図６Ａに示すように、帯状金属板２ａ，２ｂの先端の半円形軸部１２ａ，１２ｂを形成する領域２ｃを当該帯状金属板２ａ，２ｂの板厚分だけ外側にずらせるようにＺ形にプレス加工し、次に図６Ｂに示すように、前記の一段高くなった領域２ｃを内側へ二つ折りにプレス加工して二重板部２ｄを形成し、最後に図６Ｃに示すように、前記二重板部２ｄをプレス加工型により半円形軸部１２ａ，１２ｂにプレス加工することになる。このとき、半円形軸部１２ａ，１２ｂの先端角部２ｅは出来る限り曲面が残らないように加工すると共に、半円形軸部１２ａ，１２ｂの内部にも出来る限り空間が残らないように加工して、両半円形軸部１２ａ，１２ｂが合わさって円柱状軸部１３が形成されたときに、周面全体がほぼ連続した円弧面となり且つ内部がほぼ中実状態になるようにするのが望ましい。
【産業上の利用可能性】
【００１９】
本発明のセパレーター取付け金具は、セパレーターの一端部を鋼矢板などの金属表面に結合する際に、当該金属表面に溶接により容易に取り付けることが出来る金具として活用出来る。
【符号の説明】
【００２０】
１    セパレーター取付け金具
２    棒状本体
２ａ，２ｂ    帯状金属板
３    セパレーター連結部
４    溶接用取付け部
５    Ｕターン部
６    ナット
７    上下一対の回り止め成形部
８    左右一対の位置決め用突起部
９    貫通孔
１０    カシメ
１１    二枚重ね板状部
１２ａ，１２ｂ    半円形軸部
１３    中実構造の円柱状軸部
１５    セパレーターの弛み止め手段
２１ａ，２１ｂ    隅肉溶接
Ｓ    セパレーター
Ｓａ    セパレーター一端の螺軸部
Ｍ    金属面
【図１】
2014218837.tif 000003
【図２】
2014218837.tif 000004
【図３】
2014218837.tif 000005
【図４】
2014218837.tif 000006
【図５】
2014218837.tif 000007
【図６】
2014218837.tif 000008